(57)【要約】      （修正有）【課題】錠剤・カプセル剤を問わず、あらゆるタイプのＰＴＰ包装体に適応し、且つ片手でそして一回の動作で、また目を閉じていても、数種類の錠剤を即座に纏めて手の平に移せる錠剤押し出し装置を提供する。【解決手段】ＰＴＰ包装体挿入用スリット４と貫通孔３を有する受け体２を一端部に備えたアーム部１・１の他端部と、一端部を押し部とする押しバー９の他端部を、適宜間隔を確保して基体２１に軸着Ａ・Ｂして可動状態とし、且つ前記貫通孔３に前記押し部を挿通したことを特徴とする。【選択図】図１
2015071451.tif 000002
【特許請求の範囲】
【請求項１】
ＰＴＰ包装体内部に封入された錠剤を取り出す為の装置において、ＰＴＰ包装体挿入用スリットと貫通孔を有する受け体を一端部に備えたアーム部の他端部と、一端部を押し部とする押しバーの他端部を、適宜間隔を確保して基体に軸着して可動状態とし、且つ前記貫通孔に前記押し部を挿通したことを特徴とする、錠剤押し出し装置。
【請求項２】
押し部は押しバーの一端面を略台形とする、請求項１に記載の錠剤取り出し装置。
【請求項３】
軸着部に弾発体又は重りを備えた、請求項１に記載の錠剤取り出し装置。
【発明の詳細な説明】
【技術分野】
【０００１】  この発明は、隆起部を形成した透明の樹脂シートとアルミニュウム箔とを重合成形によって成された中空部に錠剤を封入するＰＴＰ包装体又はブリスタ−パック（以下、両方を錠剤パックと称する）において、封入してある錠剤を高齢者や障害者であっても、片手で且つ一回の動作で取り出すことができる錠剤取り出し装置に関する。
【背景技術】
【０００２】  従来、錠剤又はカプセル剤の包装の多くは、錠剤の大きさと形に沿う隆起部を設けた樹脂シートとアルミニュウム箔によって形成する中空部に錠剤を封入した錠剤パックであって、この中の錠剤を取り出すには、樹脂シートの隆起部を錠剤と共に指先で押圧することで裏面のアルミニュウム箔を突き破って取り出している。
また、指先での押圧に代わる、錠剤の取り出し装置に関する出願もなされていて、その中には商品として一般に販売されているものもある。
【先行技術文献】
【特許文献】
【０００３】
【特許文献１】  特許公表  ２０００−５１３３０８
【０００４】
【特許文献２】ー  特許公開  ２００９−２５５９６６
【発明の開示】
【発明が解決しようとする課題】
【０００５】  特許文献１は、ベースプレートと同じ大きさのカバープレートはヒンジによって一体化され、カバープレートに錠剤パックの隆起部に適合する開口が配列され、ベースプレートにもカバープレートと同じ位置に開口が成されていて、ベースプレートの裏側には卓上面から空間を取るためのプレートが設けられている。
この構成による使用方法は、先ず卓上にベースプレートを置き、その上に錠剤パックの隆起部側を上向きに置き、更にカバープレートの開口を隆起部に合わせて閉じて被せる。そして錠剤を出すときは、指先で隆起部を押すことで錠剤が卓上に落ちる。
この文献によると片手で錠剤を押し出すことはできるものの、問題となるのは、錠剤パックに配列される隆起部の大きさと形はそれぞれの錠剤に合わされていて、その間隔と数にも決まりが無く、錠剤の大小やカプセル剤等その種類は無限と言える。従ってこの文献は殆どの錠剤パックに対応できない課題がある。【０００６】  特許文献２は、片方の手に本体を持ち、もう片方の手で錠剤パックを支持部と装着ガイド部材との間だに隆起部を上にして差し込み、押し出し部を上から押し下げると、支持部にある脆弱部形成手段によって錠剤パックに脆弱部を作り、これによって押し出された錠剤が支持部下側の引き出し容器の中に落ちる。
この構成によると、両手による使用が目的であって、仮に卓上に置いて片手で錠剤を出すことができたとしても、容器から片手で錠剤を取り出せない課題がある。
先行技術は上記文献の他にも同じ目的の発明が多く出願されているが、片手で且つ一回の動作で錠剤を取り出せるものは無かった。
本願発明は上記の課題を解決するもので、錠剤取り出し装置に手を触れることもなく、片手で且つ一回の動作で錠剤パックから錠剤を取り出すことができる、錠剤取り出し装置を提供するものである。
【課題を解決するための手段】
【０００７】  錠剤パック３１挿入用のスリット４と貫通孔３を有する受け体２を一端部に備えたアーム部１の他端部と、一端部を押し部１０とする押しバー９の他端部を、適宜間隔を確保して基体２１に軸着Ａ・Ｂして可動状態とし、且つ前記貫通孔３に前記押し部１０を挿通したことを特徴とする、錠剤押し出し装置。
【発明の効果】
【０００８】  本願発明は上述の構成によって次に述べる効果がある。
１．錠剤パックを手に持ってスリットに挿入し、その動作を少し持続するだけで、片手で  錠剤を取り出すことができる。
２．受け体の円弧移動の幅に比べて押し部の移動幅が７：１と小さいので、テコの原理に  よって僅かな力で錠剤を取り出すことができる。従って高齢者や障害者が使用するとき  は大きな効果を発揮する。
３．錠剤パックを挿入する所が手探りで確認できるので、視力が低くても難なく使いこな  せる。
４．後記する実施例から明らかなように、卓上に置いたままで使用できる上に、その構造  上適当な高さがあり、部屋の何処に置いても目立つので見失うことが無い。
また、全体の形状と動き方に玩具的な要素があるので、デザインを考慮し、遊び心等を  表現すると、使用者の範囲を幼児から高齢者まで広げることができる。
特に、病のために日常的に薬を必要とするとき、些細な遊び心でもあるほうが良いと考  える。
【図面の簡単な説明】
【０００９】
【図１】  本願発明の実施例１の立面図
【図２】  図１のア−アを表す平面図
【図３】  図２のイ−イを表す縦断面図
【図４】  図２の受け体を押し下げた状態を表す縦断面図
【図５】  図１のウ−ウを表す平面図
【図６】  図１のエ−エを表す立面図
【図７】  図１のオ−オを表す断面図
【発明を実施するための形態】
【実施例１】
【００１０】  本願発明の実施例１を図面に基づいて詳細に説明する。
図１はこの実施例の立面図であって、先ず、中空の基体２１の両面外部に可動状態に軸着Ａとする一対のアーム部１・１は先端に一つの受け体２を形成し、また前記軸着Ａに対し縦列に適宜な間隔を確保し、且つ基体２１の中空内に軸着Ｂとする押しバー９は基体開口部２２貫いて設け、該押しバー９の先端部に位置する押し部１０は、前記受け体２に設けた貫通孔３に挿通している。そして該受け体２は錠剤パック３１を挿入する為のスリット４とガイド部５及び一対の受け部７を形成し、また前記基体２１には基体２１の自立を確実にするために台座２３を設けている。【００１１】  図２は図１のア−アの平面図であって、図示するスリット４に錠剤パック３１を挿入したとき、錠剤パック３１に配列する隆起部３２の一つが、後記する図７に記載のＶ型固定部６の作用によって、ガイド部５の中央に位置している状態を表している。
基体２１の両外側に軸着Ａ・Ａとする一対のアーム部１・１の他端部には受け体２を備え、該受け体２の中央に前記アーム部１・１に対して直交方向のスリット４を形成し、該スリット４を挟んでアーム部側にガイド部５を、そして逆側に一対の受け部７・７を形成している。また前記基体２１の内部に軸着Ｂとする押しバー９は基体開口２２から前記受け体２に向けて突出し、該押しバー９の先端小口面とする押し部１０は、前記受け体２に形成する貫通孔３を貫いたところまで到達している。【００１２】  図３は図１のイ−イの縦断面図であって、図２と同じく錠剤パック３１をスリット４に挿入した状態を表している。
本図において一対のアーム部１の軸着部Ａは基体２１の内部に軸体Ｆを備えていて、該軸体Ｆは交点Ｃの逆側に軸側フック２５を形成し、且つ該軸側フック２５と基体側フック２６との間にスプリング２４を張架し、該スプリング２４の牽引力によってア−ム部１を常に最上位置に停止させておくことができる。この最上位置での停止の方法は軸体Ｆと基体２１とに係わるストッパーを設けるか、或いは軸着Ｂとする押しバー９がアーム部１の動きに連動して最上位置に到達したときに、前記押しバー９が基体開口２２の上縁部に当接するようにしてもストッパーとしての効果が得られる。
また、本実施例ではスプリングはコイルスプリングとしているが、他に弾発体または重りでも良く、更に軸芯にスプリングを設けても良い。
そして受け体２に形成する貫通口３と押し部１０及び交点Ｃは同位置に設定していて、縦列に位置する軸着Ａと軸着Ｂを結ぶ直線と、芯線Ｄ・芯線Ｅは、芯線Ｄを略水平とする三角形を呈している。【００１３】  ここでこの実施例による作用を図３・図４に基づいて詳細に説明する。
図３に示すように、手に持った錠剤パック３１の隆起部３２をガイド部５に合わせてスリット４に挿入し、図４ではこの挿入の動作をそのまま続けて受け体２を押し下げたときに、押し部１０によって錠剤が押し出された状態を表している。
先ず図３において、縦列に位置する軸着Ａと軸着Ｂを結ぶ直線と、交点Ｃと芯線Ｄ・芯線Ｅによって表される三角形の形状は、交点Ｃが台座２３の方向へ円弧移動するのに伴って変化する。このとき軸着Ａと軸着Ｂの位置が固定されているので、必然的に交点Ｃは軸着Ｂの方向に移動する。その結果押しバ−９は貫通孔３の中を摺動し、先端の押し部１０はスリット４を貫いたところまで到達する。これによって隆起部３２内の錠剤３３は押し部１０によって押し出されて容器２７の中に落下する。
容器２７を台座２３と係わるずれ防止装置を設けて置型にしておくと、即座に容器２７を手に持って直接錠剤を口に運ぶことができる。
また押し部１０が到達する位置は、押しバー９の円弧移動の角度を調整することで適宜に決定できる。【００１４】  次に、図５・図６・図７に基づいて受け体２を詳細に説明する。
図５は受け部２の平面図であって、錠剤パック３１の隆起部３２が押しバー９によって押潰されて、隆起部３２内に封入されている錠剤３３が錠剤パック３１裏面のアルミ箔を突き破って出た状態を表している。
受け体２は中央のスリット４を挟んで、アーム１側に錠剤パックの隆起部３２を挿入するための平面コの字型のガイド部５を形成し、そして前記スリット４の逆側には一対の受け部７・７を形成し、該受け部７・７の上部はスリット４に向く曲面８・８としている。
更に図６に示すように、前記受け部７・７の長さをを前記ガイド部５の先端より短くすることで、前記曲面８・８と合わせて、錠剤パック３１をスリット４へ挿入する際に、挿入を容易にする事ができる。
また前記ガイド部５の中央に形成する貫通孔３は逆向きの長台形の形をしていて、該貫通孔３に挿通する前記押し部１０形状も貫通孔３よりやや小さめの同型としている。【００１５】  そこで、隆起部３２の大きさと形状は、内部に封入する錠剤またはカプセル剤の大きさに伴うもので、その大きさは約６ミリ×約２０ミリ小さいものは直径５ミリに満たないものまであるので、錠剤の大きさを限定できるものではない。この事を考慮した上で、隆起部３２を常にガイド部５の中央に位置させるために、図７に示すように、前記ガイド部５の所要範囲をＶ字固定部６としている。
従って該Ｖ字固定部６の作用によってあらゆる錠剤パックの隆起部３２をガイド部５の中央に位置させることができ、押し部１０が常に隆起部３２の中央を押圧することができのであるる。
【符号の説明】
【００１６】  Ａ・Ｂ：軸着        Ｃ：交点            Ｄ・Ｅ：芯線      Ｆ：軸体
１：ア−ム部        ２：受け体          ３：貫通孔        ４：スリット
５：ガイド部        ６：Ｖ型固定部      ７：受け部        ８：曲面
９：押しバ−      １０：押し部
２１：基体          ２２：基体開口部    ２３：台座        ２４：スプリング
２５：軸側フック    ２６：基体側フック  ２７：容器
３１：錠剤パック    ３２：隆起部        ３３：錠剤
【図１】
2015071451.tif 000003
【図２】
2015071451.tif 000004
【図３】
2015071451.tif 000005
【図４】
2015071451.tif 000006
【図５】
2015071451.tif 000007
【図６】
2015071451.tif 000008
【図７】
2015071451.tif 000009